(57)【要約】【課題】  作成されたプレイリストをもとに、容易にオリジナルタイトルの編集を行なうことのできるディスク記録再生装置および参照情報変換方法を提供すること。【解決手段】  選択されたプレイリストタイトルに該当するプレイリストタイトル管理テーブルＵＤ＿ＰＧＣＩＴのセル情報ＵＤ−ＣＩが参照する（部分映像データが含まれる）ＶＯＢ８８と、オリジナル管理テーブルＯＲＧ−ＰＧＣＩのセル情報ＯＲＧ−ＣＩが参照するＶＯＢ８８とを比較し（ステップＳ１１２）、処理対象のオリジナルタイトル情報ＰＧＩを検索する（ステップＳ１１４）。そして、処理対象のオリジナルタイトル管理情報ＰＧＩのセル情報ＯＲＧ−ＣＩが参照するＶＯＢ８８のうち、セル情報ＵＤ−ＣＩが参照する部分映像データ以外の映像データを削除（ステップＳ１１６）し、オリジナル管理テーブルＯＲＧ−ＰＧＣＩを更新する（ステップＳ１１８）。【選択図】        図６
2006338769.tif 000002
【特許請求の範囲】
【請求項１】
映像データを格納するための第１の記憶手段と、
前記第１の記憶手段に記憶された前記映像データと前記映像データを参照する第１の参照情報とを第１のタイトルごとに管理するオリジナル管理情報、および、前記記憶された前記映像データの再生順序を定義するために、前記第１のタイトルごとに管理される前記映像データに含まれる１以上の部分映像データを参照する第２の参照情報を第２のタイトルごとに管理する再生順序管理情報とを格納するための第２の記憶手段と、
前記再生順序管理情報から少なくとも１つの前記第２のタイトルを選択するための選択手段と、
前記選択手段で選択された前記第２のタイトルの前記第２の参照情報に基づいて、当該第２の参照情報で参照される前記部分映像データが前記第１の参照情報で参照される前記映像データに含まれる前記第１のタイトルを検索するための検索手段と、
前記検索手段で検索された前記第１のタイトルにおける前記第１の参照情報のうち、前記第２の参照情報で参照される前記部分映像データ以外の他映像データを削除するための第１の削除手段と、
前記第１の削除手段による処理の後、前記オリジナル管理情報を更新するための第１の更新手段とを備え、
前記第１の更新手段は、前記検索された前記第１のタイトルが複数ある場合には、１つの新たな前記第１のタイトルに変換するための変換手段を含み、
前記選択された前記第２のタイトルを、前記再生順序管理情報から削除するための第２の削除手段をさらに備える、ディスク記録再生装置。
【請求項２】
映像データを格納するための第１の記憶手段と、
前記第１の記憶手段に記憶された前記映像データと前記映像データを参照する第１の参照情報とを第１のタイトルごとに管理するオリジナル管理情報、および、前記記憶された前記映像データの再生順序を定義するために、前記第１のタイトルごとに管理される前記映像データに含まれる１以上の部分映像データを参照する第２の参照情報を第２のタイトルごとに管理する再生順序管理情報とを格納するための第２の記憶手段と、
前記再生順序管理情報から少なくとも１つの前記第２のタイトルを選択するための選択手段と、
前記選択手段で選択された前記第２のタイトルの前記第２の参照情報に基づいて、当該第２の参照情報で参照される前記部分映像データが前記第１の参照情報で参照される前記映像データに含まれる前記第１のタイトルを検索するための検索手段と、
前記検索手段で検索された前記第１のタイトルにおける前記第１の参照情報のうち、前記第２の参照情報で参照される前記部分映像データ以外の他映像データを削除するための第１の削除手段と、
前記第１の削除手段による処理の後、前記オリジナル管理情報を更新するための第１の更新手段とを備える、ディスク記録再生装置。
【請求項３】
前記第１の更新手段は、前記検索された前記第１のタイトルが複数ある場合には、１つの新たな前記第１のタイトルに変換するための変換手段を含む、請求項２に記載のディスク記録再生装置。
【請求項４】
前記選択された前記第２のタイトルを、前記再生順序管理情報から削除するための第２の削除手段をさらに備える、請求項２に記載のディスク記録再生装置。
【請求項５】
前記再生順序管理情報において、前記他映像データを参照する他の前記第２の参照情報が存在するか否かを判断するための判断手段をさらに備え、
前記判断手段により前記他の第２の参照情報があると判断された場合には、ユーザに対して、前記他映像データを削除するか否かの選択をさせる、請求項２に記載のディスク記録再生装置。
【請求項６】
前記再生順序管理情報において、前記他映像データを参照する他の前記第２の参照情報が存在するか否かを判断するための判断手段と、
前記判断手段により前記他の第２の参照情報があると判断された場合には、前記第１の削除手段による削除および前記第１の更新手段による更新を中止するための中止手段とをさらに備える、請求項２に記載のディスク記録再生装置。
【請求項７】
映像データを格納するための第１の記憶部と、前記第１の記憶部に記憶された前記映像データと前記映像データを参照する第１の参照情報とを第１のタイトルごとに管理するオリジナル管理情報、および、前記記憶された前記映像データの再生順序を定義するために、前記第１のタイトルごとに管理される前記映像データに含まれる１以上の部分映像データを参照する第２の参照情報を第２のタイトルごとに管理する再生順序管理情報とを格納するための第２の記憶部とを備えたディスク装置において、前記第２の参照情報を前記第１の参照情報に変換する参照情報変換方法であって、
前記再生順序管理情報から少なくとも１つの前記第２のタイトルを選択するステップと、
選択された前記第２のタイトルの前記第２の参照情報に基づいて、当該第２の参照情報で参照される前記部分映像データが前記第１の参照情報で参照される前記映像データに含まれる前記第１のタイトルを検索するステップと、
検索された前記第１のタイトルにおける前記第１の参照情報のうち、前記第２の参照情報で参照される前記部分映像データ以外の他映像データを削除するステップと、
前記オリジナル管理情報を更新するステップと、
前記選択された前記第２のタイトルを、前記再生順序管理情報から削除するステップとをさらに備える、参照情報変換方法。
【発明の詳細な説明】
【技術分野】
【０００１】
本発明は、ディスク装置および参照情報変換方法に関し、特に、ディスク媒体に記録されたデータの再生順序を定義する再生順序管理情報の編集を行なうことのできるディスク記録再生装置および参照情報変換方法に関する。
【背景技術】
【０００２】
従来より、ディスク媒体に記録されたデータの視聴形態を、ユーザの嗜好に合わせて編集することのできるディスク装置が存在する。この場合、映像データを削除することなく再生順序を定義することのできるプレイリストなどの再生順序管理情報などが利用される。プレイリストを作成することで、視聴したい映像データのみをユーザ好みの順序で再生することが可能となる。
【０００３】
また、このようなプレイリストをチャプタなどを利用して簡単に作成できる技術が開示されている（特許文献１および２）。たとえば、特許文献１には、チャプタ管理情報は、プレイリストエントリィポイントとして管理することができることが開示されている。そして、サムネイルにカーソルを合わせた状態で削除コマンドを与えることで、当該サムネイルを削除し、チャプタ開放を行なうことができることができ、この場合は、削除したサムネイルに対応するチャプタを前あるいは後のチャプタに結合することができることが開示されている。また、特許文献２には、記録されている部分領域の開始位置または終了位置を再度設定することが開示されており、セルの境界のみを変更するのか、エントリーポイントの移動のみを行なうのかなどの確定方法が開示されている。
【特許文献１】特開２００４−３６４３２５号公報
【特許文献２】特開２００４−２０８１７２号公報
【発明の開示】
【発明が解決しようとする課題】
【０００４】
しかしながら、上記特許文献の技術は、プレイリストの境界位置の設定に関するものであり、作成されたプレイリストをもとにオリジナルタイトルの編集を行なうものではない。
【０００５】
本発明は、上記のような問題を解決するためになされたものであって、その目的は、作成されたプレイリストをもとに、容易にオリジナルタイトルの編集を行なうことのできるディスク記録再生装置および参照情報変換方法を提供することである。
【課題を解決するための手段】
【０００６】
この発明のある局面に従うディスク記録再生装置は、映像データを格納するための第１の記憶手段と、第１の記憶手段に記憶された映像データと映像データを参照する第１の参照情報とを第１のタイトルごとに管理するオリジナル管理情報、および、記憶された映像データの再生順序を定義するために、第１のタイトルごとに管理される映像データに含まれる１以上の部分映像データを参照する第２の参照情報を第２のタイトルごとに管理する再生順序管理情報とを格納するための第２の記憶手段と、再生順序管理情報から少なくとも１つの第２のタイトルを選択するための選択手段と、選択手段で選択された第２のタイトルの第２の参照情報に基づいて、当該第２の参照情報で参照される部分映像データが第１の参照情報で参照される映像データに含まれる第１のタイトルを検索するための検索手段と、検索手段で検索された第１のタイトルにおける第１の参照情報のうち、第２の参照情報で参照される部分映像データ以外の他映像データを削除するための第１の削除手段と、第１の削除手段による処理の後、オリジナル管理情報を更新するための第１の更新手段とを備え、第１の更新手段は、検索された第１のタイトルが複数ある場合には、１つの新たな第１のタイトルに変換するための変換手段を含み、選択された第２のタイトルを、再生順序管理情報から削除するための第２の削除手段をさらに備える。
【０００７】
この発明の他の局面に従うディスク記録再生装置は、映像データを格納するための第１の記憶手段と、第１の記憶手段に記憶された映像データと映像データを参照する第１の参照情報とを第１のタイトルごとに管理するオリジナル管理情報、および、記憶された映像データの再生順序を定義するために、第１のタイトルごとに管理される映像データに含まれる１以上の部分映像データを参照する第２の参照情報を第２のタイトルごとに管理する再生順序管理情報とを格納するための第２の記憶手段と、再生順序管理情報から少なくとも１つの第２のタイトルを選択するための選択手段と、選択手段で選択された第２のタイトルの第２の参照情報に基づいて、当該第２の参照情報で参照される部分映像データが第１の参照情報で参照される映像データに含まれる第１のタイトルを検索するための検索手段と、検索手段で検索された第１のタイトルにおける第１の参照情報のうち、第２の参照情報で参照される部分映像データ以外の他映像データを削除するための第１の削除手段と、第１の削除手段による処理の後、オリジナル管理情報を更新するための第１の更新手段とを備える。
【０００８】
好ましくは、第１の更新手段は、検索された第１のタイトルが複数ある場合には、１つの新たな第１のタイトルに変換するための変換手段を含む。
【０００９】
好ましくは、選択された第２のタイトルを、再生順序管理情報から削除するための第２の削除手段をさらに備える。
【００１０】
好ましくは、再生順序管理情報において、他映像データを参照する他の第２の参照情報が存在するか否かを判断するための判断手段をさらに備え、判断手段により他の第２の参照情報があると判断された場合には、ユーザに対して、他映像データを削除するか否かの選択をさせる。
【００１１】
あるいは、再生順序管理情報において、他映像データを参照する他の第２の参照情報が存在するか否かを判断するための判断手段と、判断手段により他の第２の参照情報があると判断された場合には、第１の削除手段による削除および第１の更新手段による更新を中止するための中止手段とをさらに備えることが望ましい。
【００１２】
この発明の他の局面に従う参照情報変換方法は、映像データを格納するための第１の記憶部と、第１の記憶部に記憶された映像データと映像データを参照する第１の参照情報とを第１のタイトルごとに管理するオリジナル管理情報、および、記憶された映像データの再生順序を定義するために、第１のタイトルごとに管理される映像データに含まれる１以上の部分映像データを参照する第２の参照情報を第２のタイトルごとに管理する再生順序管理情報とを格納するための第２の記憶部とを備えたディスク装置において、第２の参照情報を第１の参照情報に変換する参照情報変換方法であって、再生順序管理情報から少なくとも１つの第２のタイトルを選択するステップと、選択された第２のタイトルの第２の参照情報に基づいて、当該第２の参照情報で参照される部分映像データが第１の参照情報で参照される映像データに含まれる第１のタイトルを検索するステップと、検索された第１のタイトルにおける第１の参照情報のうち、第２の参照情報で参照される部分映像データ以外の他映像データを削除するステップと、オリジナル管理情報を更新するステップと、選択された第２のタイトルを、再生順序管理情報から削除するステップとをさらに備える。
【発明の効果】
【００１３】
本発明によると、第２の参照情報をもとに、不要な映像データを削除することができる。これにより、簡単に記録媒体の空き容量を増やすことが可能となる。
【発明を実施するための最良の形態】
【００１４】
本発明の実施の形態について図面を参照しながら詳細に説明する。なお、図中同一または相当部分には同一符号を付してその説明は繰返さない。
【００１５】
［実施の形態１］
図１を参照して、本発明の実施の形態１に係るディスク装置の一態様であるＤＶＤレコーダ１００について説明する。図１は、ＤＶＤレコーダ１００のハードウェア構成を表わすブロック図である。
【００１６】
ＤＶＤレコーダ１００は、各種データおよびプログラムを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の録画状態等である。
【００１７】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２  が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００１８】
システム制御回路１１０は、ハードディスク装置１４０に含まれるハードディスク１４４、あるいは、ＤＶＤ駆動装置１７０に装着されたＤＶＤ１７２に記憶された映像データの削除や、映像データの再生順序を定義するための再生順序管理情報の編集を行なうことができる。以下、システム制御回路１１０がＤＶＤ１７２に記憶された映像データの削除や再生順序管理情報の編集を行なうものとして説明する。
【００１９】
なお、図１に示すように本発明の実施の形態１のディスク記録再生装置として、ハードディスク装置１４０およびＤＶＤ駆動装置１７０の両方を備える構成としたが、いずれか一方であってもかまわない。また、他のディスク装置を備える構成であってもかまわない。また、本実施の形態において、映像データを対象とするディスク記録再生装置について説明するが、音声データを対象とするものであってもよい。また、この明細書において、ＤＶＤ１７２やハードディスク１４４に記録されるデータを映像データとして説明するが、映像データに限られず、たとえば音声データであってもよいし、両方を含んでいてもよい。
【００２０】
図２は、本発明の実施の形態１におけるＤＶＤ１７２の記録領域について説明するための図である。図２には、ＤＶＤ１７２の管理情報と、記録または再生の対象となる映像データとの関係が示される。
【００２１】
図２を参照して、ＤＶＤ１７２は、ファイルシステムデータ８３を格納するための領域７３と、管理情報８５を格納するための領域７５と、映像データ８７を格納するための領域７７とを有する。
【００２２】
ファイルシステムデータ８３は、領域７５の管理情報８５および領域７７の映像データ８７を管理する情報であり、領域７７の映像データ８７がＤＶＤ１７２上でファイル単位で管理されるように、ファイル単位の管理情報を示す。
【００２３】
映像データ８７の各ファイルは、１つまたは複数の映像データストリームで構成される。各映像データストリームは、たとえば１回の録画処理により記録される時間的に連続しているデータである。これは、たとえばＤＶＤレコーディング規格におけるＶＯＢ（video object）８８などに相当する。
【００２４】
管理情報８５は、ファイル情報テーブルＭ＿ＡＶＦＩＴと、オリジナル管理テーブルＯＲＧ＿ＰＧＣＩと、プレイリスト管理テーブルＵＤ＿ＰＧＣＩＴとを含む。このプレイリスト管理テーブルＵＤ＿ＰＧＣＩＴは、上記再生順序管理情報に相当するものである。
【００２５】
ファイル情報テーブルＭ＿ＡＶＦＩＴは、領域７７のＶＯＢ８８に関する複数の情報を有する。ＶＯＢ８８に関する複数の情報とは、たとえば、ＶＯＢ８８の保存場所（アドレス）、ＶＯＢ８８を構成するＶＯＢＵ（ＶＯＢユニット）の数、論理サイズおよび時間長などの情報である。
【００２６】
図３は、管理情報８５に含まれるオリジナル管理テーブルＯＲＧ＿ＰＧＣＩの内容例を示す図である。オリジナル管理テーブルＯＲＧ＿ＰＧＣＩは、領域７５において連続した部分領域に書込まれている。
【００２７】
図３を参照して、オリジナル管理テーブルＯＲＧ＿ＰＧＣＩは、オリジナルヘッダ情報ＯＲＧ−ＰＧＣＧＩと、オリジナルタイトル管理情報ＰＧＩと、セル情報サーチポインタＯＲＧ−ＣＩＳＰと、セル情報ＯＲＧ−ＣＩとを含む。
【００２８】
オリジナルヘッダ情報ＯＲＧ−ＰＧＣＧＩは、オリジナルタイトル管理情報ＰＧＩがいくつあるかを示すデータであるプログラム数ＰＧＮを有する。
【００２９】
オリジナルタイトル管理情報ＰＧＩは、領域７７に格納されている映像データ８７のプログラムのそれぞれに対応する。プログラムは、映像データ８７のＶＯＢ８８を１個または複数個含んで構成される。また、オリジナルタイトル管理情報ＰＧＩは、対応のプログラムがいくつのＶＯＢ８８を有するかを示すデータであるセル数ＣＮや該プログラムの名称のデータを有する。なお、このような１つのオリジナルタイトル管理情報ＰＧＩで管理されるプログラム、あるいは、そのようなプログラムを特定する単位を、「オリジナルタイトル」というものとする。
【００３０】
セル情報ＯＲＧ−ＣＩは、領域７７における各ＶＯＢ８８に対応しており、対応のＶＯＢ８８を特定するための番号（以下「ＶＯＢ番号」という）の情報、対応のＶＯＢ８８の時間情報、および特殊再生や時間サーチを実現するために準備された情報などを有する。
【００３１】
セル情報サーチポインタＯＲＧ−ＣＩＳＰは、セル情報ＯＲＧ−ＣＩに１対１で対応しており、対応のセル情報ＯＲＧ−ＣＩをサーチするためのポインタ情報である。したがって、セル情報サーチポインタＯＲＧ−ＣＩＳＰを用いて、対応のセル情報ＯＲＧ−ＣＩを検索することができる。
【００３２】
図３に示す例では、オリジナルヘッダ情報ＯＲＧ−ＰＧＣＧＩに含まれるプログラム数ＰＧＮは“３”である。これにより、オリジナル管理テーブルＯＲＧ＿ＰＧＣＩで管理されているオリジナルタイトル管理情報ＰＧＩは３個であることが分かる。オリジナル管理テーブルＯＲＧ＿ＰＧＣＩは、プログラム数ＰＧＮが示す３個のプログラムのそれぞれに対応してオリジナルタイトル管理情報ＰＧＩ♯１，ＰＧＩ♯２，およびＰＧＩ♯３が格納される。
【００３３】
また、オリジナルタイトル管理情報ＰＧＩ♯１〜ＰＧＩ♯３の各セル数ＣＮは“１”を示している。したがって、図３に示すオリジナル管理テーブルＯＲＧ＿ＰＧＣＩでは、セル情報サーチポインタＯＲＧ−ＣＩＳＰとして３個のセル情報サーチポインタＯＲＧ−ＣＩＳＰ♯１〜ＯＲＧ−ＣＩＳＰ♯３が格納されており、セル情報サーチポインタＯＲＧ−ＣＩＳＰ♯１によりセル情報ＯＲＧ−ＣＩ♯１が参照され、セル情報サーチポインタＯＲＧ−ＣＩＳＰ♯２によりセル情報ＯＲＧ−ＣＩ♯２が参照され、セル情報サーチポインタＯＲＧ−ＣＩＳＰ♯３によりセル情報ＯＲＧ−ＣＩ♯３が参照される。
【００３４】
図４は、管理情報８５に含まれるプレイリスト管理テーブルＵＤ＿ＰＧＣＩＴの内容例を示す図である。プレイリスト管理テーブルＵＤ＿ＰＧＣＩＴは、領域７５において連続した部分領域に書込まれている。
【００３５】
図４（ａ）を参照して、プレイリスト管理テーブルＵＤ＿ＰＧＣＩＴは、プレイリストヘッダ情報ＵＤ−ＰＧＣＩＴＩと、プレイリストタイトル管理情報サーチポインタＵＤＳＰと、プレイリストタイトル管理情報ＵＤ−ＰＧＣＩとを含む。
【００３６】
プレイリストヘッダ情報ＵＤ−ＰＧＣＩＴＩは、プレイリストタイトル管理情報ＵＤ−ＰＧＣＩがいくつあるかを示すデータであるプレイリストタイトル数ＰＬＮを有する。
【００３７】
プレイリストタイトル管理情報サーチポインタＵＤＳＰは、プレイリストタイトル管理情報ＵＤ−ＰＧＣＩに１対１で対応しており、対応のプレイリストタイトル管理情報ＵＤ−ＰＧＣＩをサーチするためのポインタ情報である。したがって、プレイリストタイトル管理情報サーチポインタＵＤＳＰを用いて、対応のプレイリストタイトル管理情報ＵＤ−ＰＧＣＩを検索することができる。
【００３８】
図４（ｂ）を参照して、各プレイリストタイトル管理情報ＵＤ−ＰＧＣＩは、プレイリストタイトルヘッダ情報ＵＤ−ＰＧＣＧＩと、セル情報サーチポインタＵＤ−ＣＩＳＰと、セル情報ＵＤ−ＣＩとを含む。
【００３９】
このように、プレイレストタイトル管理情報ＵＤ−ＰＧＣＩは、オリジナルタイトル管理情報ＰＧＩのようなプログラム（オリジナルタイトル）に対応した情報は保持しないため、プレイリストタイトルヘッダ情報ＵＤ−ＰＧＣＧＩに含まれるプログラム数ＰＧＮは必ず“０”である。なお、１つのプレイリストタイトル管理情報ＵＤ−ＰＧＣＩで管理される映像データ、あるいは、その映像データを特定する単位を「プレイリストタイトル」というものとする。
【００４０】
セル情報ＵＤ−ＣＩは、領域７７におけるＶＯＢ８８の少なくとも１部の部分映像データの時間情報、当該部分映像データが含まれるＶＯＢ８８のＶＯＢ番号、および特殊再生や時間サーチを実現するために準備された情報などを有する。
【００４１】
セル情報サーチポインタＵＤ−ＣＩＳＰは、セル情報ＵＤ−ＣＩに１対１で対応しており、対応のセル情報ＵＤ−ＣＩをサーチするためのポインタ情報である。したがって、セル情報サーチポインタＵＤ−ＣＩＳＰを用いて、対応のセル情報ＵＤ−ＣＩを検索することができる。
【００４２】
図４に示す例では、図４（ａ）を参照すると、プレイリストヘッダ情報ＵＤ−ＰＧＣＩＴＩに含まれるプレイリストタイトル数ＰＬＮは“３”である。したがって、プレイリストタイトル管理情報サーチポインタＵＤＳＰとして３個のプレイリストタイトル管理情報サーチポインタＵＤＳＰ♯１〜ＵＤＳＰ♯３が格納されている。プレイリストタイトル管理情報サーチポインタＵＤＳＰ♯１によりプレイリストタイトル管理情報ＵＤ−ＰＧＣＩ♯１が参照され、プレイリストタイトル管理情報サーチポインタＵＤＳＰ♯２によりプレイリストタイトル管理情報ＵＤ−ＰＧＣＩ♯２が参照され、プレイリストタイトル管理情報サーチポインタＵＤＳＰ♯３によりプレイリストタイトル管理情報ＵＤ−ＰＧＣＩ♯３が参照される。
【００４３】
また、図４（ｂ）を参照すると、プレイリストタイトル管理情報ＵＤ−ＰＧＣＩ♯３には、たとえば、４個のセル情報サーチポインタＵＤ−ＣＩＳＰ♯１〜ＵＤ−ＣＩＳＰ♯３が格納されている。セル情報サーチポインタＵＤ−ＣＩＳＰ♯１によりセル情報ＵＤ−ＣＩ♯１が参照され、セル情報サーチポインタＵＤ−ＣＩＳＰ♯２によりセル情報ＵＤ−ＣＩ♯２が参照され、セル情報サーチポインタＵＤ−ＣＩＳＰ♯３によりセル情報ＵＤ−ＣＩ♯３が参照される。
【００４４】
図５は、図３および図４に示した例を概念的に示す図である。なお、ここでの説明においては、セルサーチポインタＯＲＧ−ＣＩＳＰ，ＵＤ−ＣＩＳＰについては考慮しないものとする。
【００４５】
図５を参照して、オリジナル管理テーブルＯＲＧ＿ＰＧＣＩには、オリジナルタイトル管理情報ＰＧＩ♯１，ＰＧＩ♯２，ＰＧＩ♯３が含まれる。オリジナルタイトル管理情報ＰＧＩ♯１は、１つのセル情報ＯＲＧ−ＣＩ♯１を含む。同様に、オリジナルタイトル管理情報ＰＧＩ♯２は、１つのセル情報ＯＲＧ−ＣＩ♯２を含み、オリジナルタイトル管理情報ＰＧＩ♯３は、１つのセル情報ＯＲＧ−ＣＩ♯３を含む。
【００４６】
セル情報ＯＲＧ−ＣＩ♯１は、ＶＯＢ（Ａ）８８を指定するための単位であるセルＣｅｌｌＡの参照情報である。したがって、セル情報ＯＲＧ−ＣＩ♯１は、ＶＯＢ（Ａ）８８のＶＯＢ番号の情報すなわち“Ａ”および、ＶＯＢ（Ａ）８８の時間情報を保持する。セル情報ＯＲＧ−ＣＩ♯２は、ＶＯＢ（Ｂ）８８を指定するための単位であるセルＣｅｌｌＢの参照情報である。したがって、セル情報ＯＲＧ−ＣＩ♯２は、ＶＯＢ（Ｂ）８８のＶＯＢ番号の情報すなわち“Ｂ”および、ＶＯＢ（Ｂ）８８の時間情報を保持する。セル情報ＯＲＧ−ＣＩ♯３は、ＶＯＢ（Ｃ）８８を指定するための単位であるセルＣｅｌｌＣの参照情報である。したがって、セル情報ＯＲＧ−ＣＩ♯３は、ＶＯＢ（Ｂ）８８のＶＯＢ番号の情報すなわち“Ｃ”および、ＶＯＢ（Ｃ）８８の時間情報を保持する。
【００４７】
また、プレイリストタイトル管理情報ＵＤ−ＰＧＣＩ＃３には、セル情報ＵＤ−ＣＩ♯１，ＵＤ−ＣＩ♯２，ＵＤ−ＣＩ♯３，ＵＤ−ＣＩ♯４が含まれる。
【００４８】
セル情報ＵＤ−ＣＩ♯１は、ＶＯＢ（Ａ）８８の一部の部分映像データ（ＶＯＢ（Ａ１））を指定する単位であるセルＣｅｌｌＡ１の参照情報である。したがって、セル情報ＵＤ−ＣＩ♯１は、ＶＯＢ（Ａ１）８８が含まれるＶＯＢ番号の情報すなわち“Ａ”および、ＶＯＢ（Ａ１）８８の時間情報を保持する。セル情報ＵＤ−ＣＩ♯２は、ＶＯＢ（Ａ）８８の他の一部の部分映像データ（ＶＯＢ（Ａ２））を指定する単位であるセルＣｅｌｌＡ２の参照情報である。したがって、セル情報ＵＤ−ＣＩ♯２は、ＶＯＢ（Ａ２）８８が含まれるＶＯＢ番号の情報すなわち“Ａ”および、ＶＯＢ（Ａ２）８８の時間情報を保持する。セル情報ＵＤ−ＣＩ♯３は、ＶＯＢ（Ｂ）８８の一部の部分映像データ（ＶＯＢ（Ｂ１））を指定する単位であるセルＣｅｌｌＢ１の参照情報である。したがって、セル情報ＵＤ−ＣＩ♯３は、ＶＯＢ（Ｂ１）８８が含まれるＶＯＢ番号の情報すなわち“Ｂ”および、ＶＯＢ（Ｂ１）８８の時間情報を保持する。セル情報ＵＤ−ＣＩ♯４は、ＶＯＢ（Ｂ）８８の他の一部の部分映像データ（ＶＯＢ（Ｂ２））を指定する単位であるセルＣｅｌｌＢ２の参照情報である。したがって、セル情報ＵＤ−ＣＩ♯４は、ＶＯＢ（Ｂ２）８８が含まれるＶＯＢ番号の情報すなわち“Ｂ”および、ＶＯＢ（Ｂ２）８８の時間情報を保持する。
【００４９】
なお、部分映像データには、上記のようにＶＯＢ８８の一部の映像データに加え、ＶＯＢ８８そのものも含まれるものとする。
【００５０】
このようにプレイリストタイトルは、録画した映像データのうち必要な部分だけを視聴したい場合にも、ユーザにより作成されたりする。この場合、オリジナルタイトルのうち視聴しない不要な映像データが存在することになる。そうすると、この不要な映像データは削除して空き容量を増やした方が効率的であると考えられる。しかしながら、オリジナルタイトルの部分削除処理は面倒である。また、一旦プレイリストタイトルを作ると、オリジナルタイトルの削除を禁止する装置や、オリジナルタイトルの一部を削除することで、プレイリストタイトルが消失される装置も存在する。
【００５１】
そこで、本発明の実施の形態１のＤＶＤレコーダ１００では、容易にプレイリストタイトルをオリジナルタイトルに変換できるように、以下のような処理を行なう。
【００５２】
図６は、本発明の実施の形態１におけるオリジナル変換処理の流れを示すフローチャートである。なお、図６に示す処理は、たとえば、外部よりプレイリストタイトル一覧表示の指示が入力された場合に開始される処理である。
【００５３】
図６を参照して、はじめに、システム制御回路１１０は、プレイリスト管理テーブルＵＤ＿ＰＧＣＩＴを読み出す（ステップＳ１０１）。
【００５４】
次に、システム制御回路１１０は、プレイリストタイトル一覧を表示する（ステップＳ１０２）。プレイリストタイトル一覧としては、たとえば、プレイリスト管理テーブルＵＤ＿ＰＧＣＩＴのプレイリストヘッダ情報ＵＤ−ＰＧＣＧＩに含まれるプレイリストタイトル名が表示される。
【００５５】
次に、システム制御回路１１０は、プレイリストタイトルが選択されたか否かを判断する（ステップＳ１０４）。プレイリストタイトルが選択されるまで（ステップＳ１０４においてＮＯ）、システム制御回路１１０はプレイリストタイトル一覧を表示する。なお、プレイリストタイトル一覧を表示して一定時間（たとえば１分）経っても選択されなかった場合には、この処理を終了することとしてもよい。
【００５６】
ユーザによりプレイリストタイトルが選択されたと判断した場合（ステップＳ１０４においてＹＥＳ）、プレイリストタイトルの編集メニューを表示する（ステップＳ１０６）。プレイリストタイトルの編集メニューの画面表示例を図７に示す。
【００５７】
図７を参照して、テレビ４００には、選択されたプレイリストタイトルのタイトル名（たとえば「○○○△△」）が表示され、複数の編集メニューが各々ボタン表示される。たとえば、タイトル名変更モードに移行するための編集ボタン４１、本発明の特徴とされる、プレイリストタイトルをオリジナルタイトルに変換するオリジナル変換モードに移行するための編集ボタン４２、チャプタ編集モードに移行するための編集ボタン４３、選択されているプレイリストタイトルを削除する削除モードに移行するための編集ボタン４４が表示される。ユーザによりいずれかの編集ボタンが選択されると、各モードに移行される。
【００５８】
再び図６を参照して、システム制御回路１１０は、ユーザによりオリジナル変換モードが選択されたか否かを判断する（ステップＳ１０８）。
【００５９】
ステップＳ１０８において、オリジナル変換モード以外のモードが選択された場合には（ステップＳ１０８においてＮＯ）、所定の処理を行なって終了する。
【００６０】
一方、ステップＳ１０８において、オリジナル変換モードが選択されたと判断した場合（ステップＳ１０８においてＹＥＳ）、オリジナル変換モードに移行する。オリジナル変換モードにおける具体的な処理の一例をステップＳ１１０〜Ｓ１２０に示す。
【００６１】
ステップＳ１１０において、システム制御回路１１０は、オリジナル管理テーブルＯＲＧ＿ＰＧＣＩを読み出す。
【００６２】
次に、システム制御回路１１０は、選択されたプレイリストタイトルに該当するプレイリストタイトル管理テーブルＵＤ＿ＰＧＣＩＴのセル情報ＵＤ−ＣＩ（以下「対象のセル情報ＵＤ−ＣＩ」ともいう」）が参照するＶＯＢ８８すなわち、対象のセル情報ＵＤ−ＣＩにより参照される部分映像データが含まれるＶＯＢ８８と、オリジナル管理テーブルＯＲＧ−ＰＧＣＩのセル情報ＯＲＧ−ＣＩが参照するＶＯＢ８８とを比較する（ステップＳ１１２）。より詳細には、対象のセル情報ＵＤ−ＣＩが保持しているＶＯＢ番号と、オリジナル管理テーブルＯＲＧ−ＰＧＣＩに含まれるセル情報ＯＲＧ−ＣＩが保持しているＶＯＢ番号とを比較する。
【００６３】
次に、ステップＳ１１２における処理に基づき、処理対象のオリジナルタイトル情報ＰＧＩを検索する（ステップＳ１１４）。具体的には、対象のセル情報ＵＤ−ＣＩが保持するＶＯＢ番号と同じＶＯＢ番号を保持しているセル情報ＯＲＧ−ＣＩを管理するオリジナルタイトル管理情報ＰＧＩが、処理対象のオリジナルタイトル管理情報ＰＧＩとして検索される。
【００６４】
次に、システム制御回路１１０は、処理対象のオリジナルタイトル管理情報ＰＧＩのセル情報ＯＲＧ−ＣＩが参照するＶＯＢ８８のうち、対象のセル情報ＵＤ−ＣＩが参照する部分映像データ以外の映像データを、ＶＯＢＵ単位で削除する（ステップＳ１１６）。より具体的には、まず、削除するＶＯＢＵすなわち、対象のセル情報ＵＤ−ＣＩが参照する部分映像データ以外の映像データ、の保存位置や数などを、ファイル情報テーブルＭ＿ＡＶＦＩＴの情報から計算する。その計算結果をもとに、オリジナルタイトル管理情報ＰＧＩのセル情報ＯＲＧ−ＣＩが参照するＶＯＢ８８、または、ＶＯＢ８８を構成するＶＯＢＵを削除する。そして、この処理に伴ない、ファイル情報テーブルＭ＿ＡＶＦＩＴを更新する。
【００６５】
このような処理が行なわれることで、ステップＳ１１６の処理後に残った映像データは新たなＶＯＢ８８として管理される。
【００６６】
次に、システム制御回路１１０は、オリジナル管理テーブルＯＲＧ−ＰＧＣＩを更新する（ステップＳ１１８）。たとえば、ステップＳ１１６の処理後の新たなＶＯＢ８８を参照するための新たなセル情報ＯＲＧ−ＣＩが作成され、処理対象であったオリジナルタイトル管理情報ＰＧＩと新たなセル情報ＯＲＧ−ＣＩとが対応付けられるように更新される。
【００６７】
ステップＳ１１８の処理が終わると、システム制御回路１１０は、ステップＳ１０４で選択されたプレイリストタイトル管理情報ＵＤ−ＰＧＣＩを削除する（ステップＳ１２０）。
【００６８】
以上で、本発明の実施の形態１におけるオリジナル変換処理を終了する。
次に、上記オリジナル変換処理をした場合の具体例を、先に示した図３〜図５および図８〜図１０を用いて説明する。なお、図４に示したプレイリスト管理テーブルＵＤ＿ＰＧＣＩＴのうち、上記ステップＳ１０４においてプレイリストタイトル管理情報ＵＤ−ＰＧＣＩＴＩ＃３が選択されたものとして説明する。また、以下の説明において、セルサーチポインタＯＲＧ−ＣＩＳＰ，ＵＤ−ＣＩＳＰについては考慮しないものとする。
【００６９】
図４および図５に示したように、プレイリストタイトル管理情報ＵＤ−ＰＧＣＩＴＩ＃３は、４つのセル情報ＵＤ−ＣＩ♯１，ＵＤ−ＣＩ♯２，ＵＤ−ＣＩ♯３，ＵＤ−ＣＩ♯４を含んでいる。セル情報ＵＤ−ＣＩ♯１およびＵＤ−ＣＩ♯２は、ＶＯＢ（Ａ）８８の一部の部分映像データを参照しており、セル情報ＵＤ−ＣＩ♯３およびＵＤ−ＣＩ♯４は、ＶＯＢ（Ｂ）８８の一部の部分映像データを参照していた。したがって、処理対象とされるオリジナルタイトル管理情報ＰＧＩは、ＶＯＢ（Ａ）８８を管理しているオリジナルタイトル管理情報ＰＧＩ＃１および、ＶＯＢ（Ｂ）８８を管理しているオリジナルタイトル管理情報ＰＧＩ＃２となる（ステップＳ１１４）。
【００７０】
図３および図５に示したように、オリジナルタイトル管理情報ＰＧＩ＃１が管理しているのは、ＶＯＢ（Ａ）８８を参照しているセル情報ＯＲＧ−ＣＩ＃１のみである。したがって、セル情報ＯＲＧ−ＣＩ＃１が参照するＶＯＢ（Ａ）８８から、セル情報ＵＤ−ＣＩ＃１が参照するＶＯＢ（Ａ１）およびセル情報ＵＤ−ＣＩ♯２が参照するＶＯＢ（Ａ２）以外の映像データが削除される（ステップＳ１１６）。このように削除されることで、ＶＯＢ（Ａ）８８の一部である、ＶＯＢ（Ａ１）８８およびＶＯＢ（Ａ２）８８のみ残される。
【００７１】
同様に、オリジナルタイトル管理情報ＰＧＩ＃２が管理しているのは、ＶＯＢ（Ｂ）８８を参照しているセル情報ＯＲＧ−ＣＩ＃２のみである。したがって、セル情報ＯＲＧ−ＣＩ＃２が参照するＶＯＢ（Ｂ）８８から、セル情報ＵＤ−ＣＩ♯３が参照するＶＯＢ（Ｂ１）およびＵＤ−ＣＩ♯４が参照するＶＯＢ（Ｂ２）以外の映像データが削除される（ステップＳ１１６）。このように削除されることで、ＶＯＢ（Ｂ）８８の一部である、ＶＯＢ（Ｂ１）８８およびＶＯＢ（Ｂ２）８８のみ残される。
【００７２】
その後、ステップＳ１１８およびＳ１２０の処理を経て更新されたオリジナル管理テーブルＯＲＧ−ＰＧＣＩの内容例を図８に示し、プレイリスト管理テーブルＵＤ−ＰＧＣＩＴの内容例を図９に示す。また、それらの概念図を図１０に示す。
【００７３】
まず図１０を参照して、図３および図５に示したオリジナルタイトル管理情報ＰＧＩ＃３は、この例において処理対象外であるので、オリジナルタイトル管理情報ＰＧＩ＃１’とされる。オリジナルタイトル管理情報ＰＧＩ＃１’は、オリジナル変換処理前と同様に、ＶＯＢ（Ｃ）８８を指定する単位であるセルＣｅｌｌＣを参照するためのセル情報ＯＲＧ−ＣＩ＃１’のみを含む。
【００７４】
一方、図３および図５においてオリジナルタイトル管理情報ＰＧＩ＃１およびＰＧＩ＃２は、この例において処理対象であったので、１つの新たなオリジナルタイトル管理情報ＰＧＩ＃２’に更新されている。オリジナルタイトル管理情報ＰＧＩ＃２’は、図１０に示すように、４つのセル情報ＯＲＧ−ＣＩ＃２’，ＯＲＧ−ＣＩ＃３’，ＯＲＧ−ＣＩ＃４’，ＯＲＧ−ＣＩ＃５’を含む。セル情報ＯＲＧ−ＣＩ＃２’は、ＶＯＢ（Ａ１）８８を指定する単位であるセルＣｅｌｌＡ１の参照情報である。セル情報ＯＲＧ−ＣＩ＃３’は、ＶＯＢ（Ａ２）８８を指定する単位であるセルＣｅｌｌＡ２の参照情報である。セル情報ＯＲＧ−ＣＩ＃４’は、ＶＯＢ（Ｂ１）８８を指定する単位であるセルＣｅｌｌＢ１の参照情報である。セル情報ＯＲＧ−ＣＩ＃５’は、ＶＯＢ（Ｂ２）８８を指定する単位であるセルＣｅｌｌＢ２の参照情報である。
【００７５】
また、図４および図５に示したプレイリストタイトル管理情報ＵＤ−ＰＧＣＩ＃３は、削除されるので、図９および図１０において、プレイリストタイトル管理情報ＵＤ−ＰＧＣＩ＃３は存在しない。
【００７６】
このように、オリジナル変換処理後のオリジナルタイトル管理情報ＰＧＩ＃２’は、選択されたプレイリストタイトル管理情報ＵＤ−ＰＧＣＩ＃３で管理されていたセル情報と同じセル情報が格納される。そうすると、図１０に示すように、削除対象となった映像データが格納されていた領域７５０は空き領域となり、記録容量を増やすことができる。また、不用な映像データを簡単に削除することができ、オリジナルタイトルの整理にも役立つ。
【００７７】
次に、図８を参照して、オリジナル変換処理後のオリジナル管理テーブルＯＲＧ−ＰＧＣＩには、オリジナルタイトル管理情報ＰＧＩ♯１’，ＰＧＩ♯２’が含まれる。したがって、オリジナルヘッダ情報ＯＲＧ−ＰＧＣＧＩに含まれるプログラム数ＰＧＮは“２”となる。また、オリジナルタイトル管理情報ＰＧＩ♯１’は、セル情報ＯＲＧ−ＣＩ＃１’を含むため、セル数ＣＮは“１”である。これに対し、オリジナルタイトル管理情報ＰＧＩ♯２’は、４つのセル情報ＯＲＧ−ＣＩ＃２’，ＯＲＧ−ＣＩ＃３’，ＯＲＧ−ＣＩ＃４’，ＯＲＧ−ＣＩ＃５’を含むため、セル数ＣＮは“４”となる。
【００７８】
続いて図９を参照して、オリジナル変換処理後のプレイリスト管理テーブルＵＤ＿ＰＧＣＩＴは、選択されたプレイリストタイトル管理情報ＵＤ−ＰＧＣＩ＃３が削除されたため、プレイリストヘッダ情報ＵＤ−ＰＧＣＩＴＩのプレイリストタイトル数ＰＬＮは“２”となっている。このように、選択されたプレイリストタイトル管理情報ＵＤ−ＰＧＣＩ＃３を削除することにより、プレイリストの整理にも役立つ。
【００７９】
なお、以上の説明においては、オリジナル変換処理の対象として１つのプレイリストタイトル（プレイリストタイトル管理情報ＵＤ−ＰＧＣＩ）が選択されるものとして説明したが（図６のステップＳ１０４）、複数選択されるものであってもよい。この場合、複数選択されたプレイリストタイトルを一括して新たなオリジナルタイトルとすることができる。たとえば連続ドラマのプレイリストとそのドラマの特別編のプレイリストとを選択することで、簡単に１つのオリジナルタイトルとすることができる。
【００８０】
（変形例）
次に、本発明の実施の形態１の変形例について説明する。
【００８１】
上記実施の形態１では、図６のステップＳ１１４で処理対象のオリジナルタイトル管理情報ＰＧＩが検索されると、そのオリジナルタイトル管理情報ＰＧＩのセル情報ＯＲＧ−ＣＩが参照するＶＯＢ８８は、ステップＳ１１６における削除対象となるものであった。
【００８２】
実施の形態１の変形例においては、削除対象の映像データが、他のプレイリストタイトル管理情報ＵＤ−ＰＧＣＩにおいて参照されているか否かを判断し、映像データを削除するか否かをユーザに選択させるものである。
【００８３】
なお、実施の形態１の変形例におけるディスク記録再生装置の構成は、実施の形態１におけるディスク記録再生装置の構成と同様である。したがって、ここでも図１に示したＤＶＤレコーダ１００の符号を用いて説明し、これらの説明について繰り返さない。
【００８４】
図１１および図１２は、本発明の実施の形態１の変形例におけるオリジナル変換処理の流れを示すフローチャートである。なお、図６に示す処理と同様の処理については同じステップ番号を付し、ここでの説明は繰り返さない。
【００８５】
図６に示したステップＳ１０１〜Ｓ１１４の処理が終了すると、ステップＳ２０２に進む。
【００８６】
ステップＳ２０２において、システム制御回路１１０は、他のプレイリスト管理情報ＵＤ−ＰＧＣＩで管理されているセル情報ＵＤ−ＣＩの時間情報と、削除対象の映像データの時間情報とを比較する。そして、重複部分があるか、すなわち、削除対象の映像データを参照する他のプレイリストタイトル管理情報ＵＤ−ＰＧＣＩが存在するか否かを判断する（ステップＳ２０４）。
【００８７】
重複部分がないと判断した場合（ステップＳ２０４においてＮＯ）、システム制御回路１１０は、上記したステップＳ１１６〜Ｓ１２０の処理を実行する。本実施の形態では、ステップＳ１２０の処理の後、ステップＳ１２２に進む。
【００８８】
一方、重複部分があると判断した場合（ステップＳ２０４においてＹＥＳ）、システム制御回路１１０は、選択画面を表示する（ステップＳ２０６）。この選択画面の表示例を図１３に示す。
【００８９】
図１３を参照して、テレビ４００には、選択されたプレイリストタイトルのタイトル名（たとえば「○○○△△」）が表示され、たとえば「重複部分あり。いずれか選択して下さい。」というメッセージＭ５０が表示される。また、“オリジナル変換中止”ボタン５１および“オリジナル変換実行”ボタン５２が表示され、ユーザによりいずれかのボタンが選択される。
【００９０】
次に、システム制御回路１１０は、指示が何であるかを判断する（ステップＳ２０８）。指示の内容が「中止」であれば、映像データの削除を行なうことなくこの一連の処理を終了する。
【００９１】
一方、指示の内容が「実行」であれば、システム制御回路１１０は、たとえばメモリ１１２の所定の領域にフラグを立てる（フラグＯＮ）（ステップＳ２１０）。そして、システム制御回路１１０は、上記したステップＳ１１６〜Ｓ１２０の処理を実行する。
【００９２】
ステップＳ１２０の処理が終了すると、次に、フラグがＯＮであるかを判断する（ステップＳ２１２）。フラグがＯＮであると判断すると（ステップＳ２１２においてＹＥＳ）、ステップＳ２０４において重複部分があると判断された他のプレイリストタイトル管理情報ＵＤ−ＰＧＣＩを削除する（ステップＳ２１４）。そして、フラグをＯＦＦにして（ステップＳ２１６）、この一連の処理を終了する。
【００９３】
一方、フラグがＯＮでないと判断すると（ステップＳ２１２においてＮＯ）、ステップＳ２１４およびＳ２１６の処理をスキップしてこの一連の処理を終了する。
【００９４】
このように、実施の形態１の変形例では、映像データを削除するか否かをユーザに選択することができる。したがって、重複部分のある他のプレイリストタイトルがユーザの意思に反して削除されてしまうことを防止することができる。
【００９５】
なお、実施の形態１の変形例では、重複部分があるとオリジナル変換を続行するか否かをユーザに選択させるものとしたが、たとえば、重複部分があるとオリジナル変換を中止させるようにしてもよい。この場合、重複部分のある他のプレイリストタイトルのタイトル名を表示して、“他のプレイリストタイトルと重複しているため、オリジナル変換を中止します”というような表示を行なってもよい。このようにすることで、ユーザは、そのプレイリストタイトルの再編集を行なうことができる。
【００９６】
また、たとえば、上記ＤＶＤ１７２の代わりに、プログラムを記録しているたとえば光学媒体等を駆動装置で読み出して、メモリ１２２のプログラムをアップデートすることもできる。
【００９７】
また、本発明のディスク装置が行なう、オリジナル変換方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００９８】
提供されるプログラム製品は、メモリ１１２などのプログラム格納部にインストールされて実行される。なお、プログラム製品は、プログラム自体と、プログラムが記録された記録媒体とを含む。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本発明の実施の形態１に係るＤＶＤレコーダのハードウェア構成を表わすブロック図である。
【図２】本発明の実施の形態１におけるＤＶＤの記録領域について説明するための図である。
【図３】ＤＶＤの管理情報に含まれるオリジナル管理テーブルの内容例を示す図である。
【図４】ＤＶＤの管理情報に含まれるプレイリスト管理テーブルの内容例を示す図である。
【図５】図３および図４に示した例を概念的に示す図である。
【図６】本発明の実施の形態１におけるオリジナル変換処理の流れを示すフローチャートである。
【図７】プレイリストタイトルの編集メニューの画面表示例を示す図である。
【図８】オリジナル変換後のオリジナル管理テーブルの内容例を示す図である。
【図９】オリジナル変換後のプレイリスト管理テーブルの内容例を示す図である。
【図１０】図８および図９に示した例を概念的に示す図である。
【図１１】本発明の実施の形態１の変形例におけるオリジナル変換処理の流れを示す第１のフローチャートである。
【図１２】本発明の実施の形態１の変形例におけるオリジナル変換処理の流れを示す第２のフローチャートである。
【図１３】選択画面の表示例を示す図である。
【符号の説明】
【０１０１】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2006338769.tif 000003
【図２】
2006338769.tif 000004
【図３】
2006338769.tif 000005
【図４】
2006338769.tif 000006
【図５】
2006338769.tif 000007
【図６】
2006338769.tif 000008
【図７】
2006338769.tif 000009
【図８】
2006338769.tif 000010
【図９】
2006338769.tif 000011
【図１０】
2006338769.tif 000012
【図１１】
2006338769.tif 000013
【図１２】
2006338769.tif 000014
【図１３】
2006338769.tif 000015